(57)【要約】【課題】低温雰囲気下においても、小径開口部のリップ部と軸との接触が外れる、いわゆる小径開口部の口開き現象の発生を抑えると共に、リップ部のシール性能が良好なボールジョイント用ダストカバーを提供することを目的とする。【解決手段】ボールスタッドの一端に形成された球頭部がソケット内に保持され、前記ボールスタッドの他端の軸はナックルに締め付け固定され、一端大径開口部が前記ソケットの外周面に固定保持され、補強環が埋設された他端小径開口部が前記軸に保持されたボールジョイント用ダストカバーにおいて、前記補強環が、多層構造であることを特徴とする。【選択図】図１
2014092192.tif 000002
【特許請求の範囲】
【請求項１】
ボールスタッド（１）の一端に形成された球頭部（２）がソケット（３）内に保持され、前記ボールスタッド（１）の他端の軸（４）はナックル（５）に締め付け固定され、一端大径開口部（８）が前記ソケット（３）の外周面に固定保持され、補強環（９）が埋設された他端小径開口部（７）が前記軸（４）に保持されたボールジョイント用ダストカバー（６）において、
前記補強環（９）が、多層構造であることを特徴とするボールジョイント用ダストカバー。
【請求項２】
前記補強環（９）が、複数の環状ワッシャーを相互に間隙を有して積層されていることを特徴とする請求項１記載のボールジョイント用ダストカバー。
【請求項３】
前記補強環（９）が、スパイラル状ワッシャーであることを特徴とする請求項１記載のボールジョイント用ダストカバー。
【請求項４】
前記他端小径開口部（７）が前記軸（４）と弾性接触しているリップ部（７１）を備えていることを特徴とする請求項１〜３のいずれか一項に記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
【背景技術】
【０００２】
従来、ボールジョイント継ぎ手部の防塵、防水を目的としてダストカバーが装着されているボールジョイントとしては図３に記載のボールジョイント用ダストカバーが知られている。（特許文献１）
【０００３】
この種ボールジョイント用ダストカバーのシール構造は、ボールスタッド１００の一端に形成された球頭部２００がソケット３００内に保持されている。
そして、ボールスタッド１００の他端の軸４００は、ナックル５００に締め付け固定されている。
一方、弾性材製ダストカバー６００の断面略コ字形状の一端大径開口部８００が、ソケット３００の外周面に形成された環状の溝部３１０内に、円環状押さえリング７００により固定保持され、断面Ｌ字形状の金属補強環が埋設された他端小径開口部１５０が軸４００に保持された構成となっている。そして、この金属補強環と軸４００との間に存在するゴムが適度に圧縮され、そのゴムの反発力（緊迫力）と追随性により、ボールスタッド１００の揺動運動に対してシール性を発揮する形を取っている。
【０００４】
しかし、この種従来の弾性材製ダストカバー６００は、図３に示す様にボールスタッド１００が傾斜した状態で揺動すると、弾性材製ダストカバー６００の膜部が伸びる側（図上右側）において、小径開口部１５０を引き伸ばす力が作用する為、小径開口部１５０のリップ部とナックル５００との接触が外れる、いわゆる小径開口部１５０の口開き現象が発生する。
この結果、小径開口部１５０におけるシール性能が低下し、外部から土砂や塵芥がダストカバー６００内に浸入する問題を惹起した。
【０００５】
特に、低温雰囲気下では弾性材製ダストカバー６００を構成するゴムが伸縮性を失い、ボールジョイントの揺動運動に対する膜部の追随性が低下する結果、シールリップ部が軸４００から離れる口開き現象が顕著に発生する事が判った。
【０００６】
また、この様な口開き現象が発生すると、外部から土砂や塵芥がダストカバー６００内に浸入するだけでなく、ダストカバー６００内に封入されたグリースが漏れ出る危険性を招来した。
【先行技術文献】
【特許文献】
【０００７】
【特許文献１】特開昭６２−１３７４０８号公報
【発明の開示】
【発明が解決しようとする課題】
【０００８】
本発明は、このような課題に鑑みてなされたものであり、低温雰囲気下においても、小径開口部のリップ部と軸との接触が外れる、いわゆる小径開口部の口開き現象の発生を抑えると共に、リップ部のシール性能が良好なボールジョイント用ダストカバーを提供することを目的とする。
【課題を解決するための手段】
【０００９】
本発明のボールジョイント用ダストカバーは、ボールスタッドの一端に形成された球頭部がソケット内に保持され、前記ボールスタッドの他端の軸はナックルに締め付け固定され、一端大径開口部が前記ソケットの外周面に固定保持され、補強環が埋設された他端小径開口部が前記軸に保持されたボールジョイント用ダストカバーにおいて、前記補強環が、多層構造であることを特徴とする。
【発明の効果】
【００１０】
本発明は、以下に記載されるような効果を奏する。
請求項１記載の発明のボールジョイント用ダストカバーによれば、他端小径開口部に埋設した補強環が多層構造である為、他端小径開口部における軸方向及び径方向の変位が容易かつ柔軟に行え、低温雰囲気下においても、他端小径開口部のリップ部と軸との接触が外れる、いわゆる他端小径開口部の口開き現象の発生を抑えると共に、リップ部のシール性能を良好に維持出来る。
更に、請求項２記載の発明のボールジョイント用ダストカバーによれば、補強環が、複数の環状ワッシャーを相互に間隙を有して積層される構成としている為、環状ワッシャー間に存在するゴム層により軸方向及び径方向の変位が容易かつ柔軟に行える為、リップ部が軸外周面と柔軟に追随出来る。
【００１１】
更に、請求項３記載の発明のボールジョイント用ダストカバーによれば、補強環が、スパイラル状ワッシャーである為、軸方向及び径方向の変位が容易かつ柔軟に行えると共に、圧縮側で軸方向に縮むことが容易に行え、スペース確保につなげられる。
更に、請求項４記載の発明のボールジョイント用ダストカバーによれば、他端小径開口部が前記軸と弾性接触しているリップ部を備えている構成としている為、他端小径開口部に埋設した補強環が多層構造であることと相俟って、他端小径開口部におけるシール性能をより高める事が出来る。
【図面の簡単な説明】
【００１２】
【図１】本発明に係る、ボールジョイント用ダストカバーの縦断面図。
【図２】図１の部分拡大図。
【図３】従来技術に係る、ボールジョイント用ダストカバーの縦断面図。
【発明を実施するための形態】
【００１３】
以下、本発明を実施するための形態について説明する。
図１及び図２に示される様に、本発明に係るボールジョイント用ダストカバーは、ボールスタッド１の一端に形成された球頭部２がソケット３内に保持され、このボールスタッド１の他端の軸４はナックル５に締め付け固定され、一端大径開口部８がソケット３の外周面に固定保持され、補強環９が埋設された他端小径開口部７が軸４に保持された構成となっている。
【００１４】
そして、この補強環９は、多層構造となっている。
より具体的には、図２に示す様に、板状の補強環９、９の間にダストカバーを構成しているゴム材が介在する構成となっている。
【００１５】
この為、他端小径開口部７における軸方向及び径方向の変位が柔軟に行え、低温雰囲気下においても、他端小径開口部７のリップ部７１と軸との接触が外れる、いわゆる他端小径開口部７の口開き現象の発生を抑えると共に、リップ部７１のシール性能を良好に維持出来る。
【００１６】
この補強環９に用いられる態様としては、複数の環状ワッシャーを相互に間隙を有して、他端小径開口部７に積層埋設する態様と、１枚のスパイラル状ワッシャーを他端小径開口部７に埋設する態様が可能である。
【００１７】
そして、この複数の環状ワッシャーを相互に間隙を有して、他端小径開口部７に積層埋設する態様としているので、環状ワッシャー間に存在するゴム層により、軸方向及び径方向の変位が容易かつ柔軟に行える為、リップ部７１が軸外周面と柔軟に追随出来る。
【００１８】
また、１枚のスパイラル状ワッシャーを他端小径開口部７に埋設する態様とした場合は、
圧縮側で軸方向に縮むことが容易に行え、環状ワッシャーの場合と同様に、軸方向及び径方向の変位が容易かつ柔軟に行える為、リップ部７１が軸外周面と柔軟に追随出来ると共に、スペース確保につなげられ、成形も容易である。
【００１９】
また、他端小径開口部７が軸４と弾性接触している箇所には、リップ部７１が形成されている。更に、ナックル５と接触する箇所には、ダストリップ７２が設けられている。
【００２０】
この実施態様で用いた補強環９の断面形状は、矩形であったが、円形や楕円であっても良い。
また、環状ワッシャーの形状としては、ウェーブ状や突起付きであっても使用可能である。
また、補強環９の軸方向間隙及び積層枚数は適宜用途に合わせ選択される。
この補強環９の材質は、金属材の他にナイロン等の機械的強度の強い樹脂材も適宜用途に合わせ使用可能である。
【００２１】
また、ダストカバー６の材質は、クロロプレン等のゴム状弾性材や、ポリエステル系エラストマー、熱可塑性ポリウレタン等の熱可塑性エラストマーから、適宜用途に合わせ選択して使用される。
【００２２】
また、ダストカバー６内には、グリースが封入されている。
【００２３】
一方、ダストカバー６の断面略コ字形状の一端大径開口部８は、ソケット３の外周面に形成された環状の溝部３１内に、円環状押さえリング１１により固定保持される構成となっている。
この押さえリング１１は、断面略矩形状のサークリップを使用したが、一端大径開口部８に金属補強環を埋設一体化したタイプ等用途に応じ各種押えリングが採用される。
【００２４】
また、本発明は上述の発明を実施するための最良の形態に限らず本発明の要旨を逸脱することなくその他種々の構成を採り得ることはもちろんである。
【産業上の利用可能性】
【００２５】
自動車の懸架装置及び操舵装置等に使用されるボールジョイントに使用できる。
【符号の説明】
【００２６】
１    ボールスタット
２    球頭部
３    ソケット
４    軸
５    ナックル
６    ダストカバー
７    他端小径開口部
８    一端大径開口部
９    補強環
１１  押えリング
７１  リップ部
７２  ダストリップ
【図１】
2014092192.tif 000003
【図２】
2014092192.tif 000004
【図３】
2014092192.tif 000005